(57)【要約】      （修正有）【課題】衛生面に優れ、安全性に配慮し、簡単に製造することができ、調湿効果にも優れ、書き込みや印刷をすることもでき、見た目に美しい書類収納用ファイルを提供する。【解決手段】書類収納用ファイル０１００は、形状自体は従来の書類収納用ファイルと同様であって、二枚の表紙０１１０、０１２０からなる。これら二枚の表紙は、ファイルの一辺が一枚のシートを折り返した辺であり、隣接する２辺の二枚の表紙の端部どうしを糊などで接着させて形成され、それ以外の辺から書類を出し入れすることが可能なようになっている。２枚の表紙の接着は、糊を使わないプレスロック方式を用いてもよい。上側の表紙０１１０がやや小さく形成されているため、上側の表紙の右辺０１０３ａの位置と下側の表紙の右辺０１０３ｂの位置がややずれている。右辺０１０３及び上辺０１０４は開放され、書類の出し入れが可能となっている。【選択図】図１
0003228213.tif 000002
【実用新案登録請求の範囲】
【請求項１】
抗菌性を有する１枚の和紙からなる表紙を折り返し、収納書類の少なくとも隣接二辺を突き当て保持可能なように構成されている書類収納用ファイル。
【請求項２】
前記書類収納用ファイルの略長方形の角部が略円弧状の形状をなしている請求項１に記載の書類収納用ファイル。
【請求項３】
前記和紙はＮＢＫＰ（長繊維）を３０％以上含む和紙である請求項１から３のいずれか一に記載の書類収納用ファイル。
【請求項４】
前記和紙は抗菌性を有する繊維を含む和紙である請求項１から３のいずれか一に記載の書類収納用ファイル。
【請求項５】
前記和紙は、前記パルプの乾燥工程においてドライヤーのシリンダーへの非接触側の面が内側で対向するように配置されていることを特徴とする請求項１から４のいずれか一に記載の書類収納用ファイル。
【請求項６】
自身を開いて書類を収納しやすくするための切欠部が設けられている側である表紙（上側）の前記切欠が設けられている辺は、表紙（下側）の前記切欠が設けられていない辺よりも左方（表紙（上側）の方が表紙（下側）よりも面積が小さくなる方向）に後退している請求項１から請求項５のいずれか一に記載の書類収納用ファイル。
【請求項７】
前記左方（表紙（上側）の方が表紙（下側）よりも面積が小さくなる方向）に後退している側の前記切欠が設けられている辺の下方も角部が略円弧状の形状をなしている請求項６に記載の書類収納用ファイル。
【考案の詳細な説明】
【技術分野】
【０００１】
本考案は、書類収納用ファイルに関する。
【背景技術】
【０００２】
書類収納用ファイルは、書類の劣化を防止し、適切に保存することができるという本来の機能もさることながら、最近では、これに加え、見た目の美しさや地球環境保護への配慮なども求められるようになっている。
【０００３】
見た目の美しさを追求するための方法の一つとして和紙の持つ風合いや高級感を利用することが考えられるところ、例えば特許文献１には、書類収納用ファイルの書類収納側となる内面側面の少なくとも一部に露出した和紙を用いるものが公開されている。
【０００４】
あるいは、構成する表紙の全部または一部を１枚の和紙から構成する書類収納用ファイルが開示されている（特許文献１参照）。
【先行技術文献】
【特許文献】
【０００５】
【特許文献１】実用新案登録第３１６７２５９号公報
【考案の概要】
【考案が解決しようとする課題】
【０００６】
和紙には、調湿効果や、洋紙と比べ長い繊維を用いていることから肌触りが良く折り曲げ耐性があり丈夫であり、書き込みや印刷をすることができる、という優れた特長がある。一方で自然素材からなる紙素材であるため、素手で所持した際に汗や汚れが付きやすく、細菌類の繁殖が懸念されるという衛生上の問題点があった。
また、一般に市販されているPP製などの書類収納用ファイルは、１枚の表紙を折り返し形成するが、折り返し辺の両脇が、直線部を折り曲げたことにより直角に近い角度をなしており、取扱時に皮膚に当たると擦過傷を生じる懸念があった。
【０００７】
そこで、本考案の解決すべき課題は、書類を適切に保存することができるという本来の機能と、上記の和紙本来の特長を残しながら、細菌などの繁殖を抑え衛生的に使用できる書類収納用ファイルを提供することにある。また、使用する際に、安全に取り扱うことのできる書類収納用ファイルを提供することにある。
【課題を解決するための手段】
【０００８】
以上の課題を解決するため、
第一の考案は、抗菌性を有する１枚の和紙からなる表紙を折り返し、収納書類の少なくとも隣接二辺を突き当て保持可能なように構成されている書類収納用ファイルを提供する。
また、第二の考案は、第一の考案を基礎として、前記書類収納用ファイルの略長方形の角部が円弧状の形状をなしている書類収納用ファイルを提供する。
また、第三の考案は、第一又は第二の考案を基礎として、前記和紙はＮＢＫＰ（長繊維）を３０％以上含む和紙である書類収納用ファイルを提供する。
また、第四の考案は、前記和紙は抗菌性を有する繊維を含む和紙である請求項１から３のいずれか一に記載の書類収納用ファイルを提供する。
また、第五の考案は、第一から第四のいずれか一の考案を基礎として、前記和紙は、前記パルプの乾燥工程においてドライヤーのシリンダーへの非接触側の面が内側で対向するように配置されていることを特徴とする書類収納用ファイルを提供する。
また、第六の考案は、第一から第五のいずれか一の考案を基礎として、自身を開いて書類を収納しやすくするための切欠部が設けられている側である表紙（上側）の前記切欠が設けられている辺は、表紙（下側）の前記切欠が設けられていない辺よりも左方（表紙（上側）の方が表紙（下側）よりも面積が小さくなる方向）に後退している書類収納用ファイルを提供する。
また、第七の考案は、第六の考案を基礎として、前記左方（表紙（上側）の方が表紙（下側）よりも面積が小さくなる方向）に後退している側の前記切欠が設けられている辺の下方も角部が略円弧状の形状をなしている書類収納用ファイルを提供する。
【考案の効果】
【０００９】
本考案により、書類を適切に保存することができるという書類収納用ファイル本来の機能とともに、和紙本来の丈夫で肌触りがよいなどの特長を残しながら、細菌などの繁殖を抑え衛生的に使用でき、安全に取り扱うことのできる書類収納用ファイルを提供することが可能となる。
【図面の簡単な説明】
【００１０】
【図１】実施例１の書類収納用ファイルの形状の一例を示す図
【図２】実施例１の書類収納用ファイルの一例の展開図
【図３ａ】実施例１の書類収納用ファイルの別の形状の一例を示す展開図
【図３ｂ】実施例１の書類収納用ファイルの別の形状の一例を示す図
【図４ａ】実施例１の書類収納用ファイルの別の形状の一例を示す展開図
【図４ｂ】実施例１の書類収納用ファイルの別の形状の一例を示す図
【図５】ドライヤーを用いた紙の乾燥工程の一例について説明するための概念図
【符号の説明】
【００１１】
０１００      書類収納用ファイル
０１１０      表紙（上側）
０１２０      表紙（下側）
０１１１      切欠部
０２１０ａ、０２２０ｂ      糊しろ部
０５３０      フェルト部
０５４０      プレス部
０５５０      ドライヤー
０５６０      巻取り機
【考案を実施するための形態】
【００１２】
以下に、本考案の実施例を説明する。実施例と請求項の相互の関係については、実施例１は主に請求項１、請求項２、請求項３、請求項４などに関し、実施２は主に請求項４、請求項５などに関する。なお、本考案はこれら実施例に何ら限定されるものではなく、その要旨を逸脱しない範囲において、種々なる態様で実施しうる。
【実施例１】
【００１３】
＜概要＞
【００１４】
本実施例の書類収納用ファイルは、抗菌性を有する１枚の和紙からなる表紙を折り返し、収納書類の少なくとも隣接二辺を突き当て保持可能なように構成されている書類収納用ファイルである。また、かかる書類収納用ファイルであって、略長方形の角部が略円弧状の形状をなしているものも本実施例の書類収納用ファイルに含まれる。
また、かかる書類収納用ファイルであって、前記和紙はＮＢＫＰ（長繊維）を３０％以上含む和紙であるものも本実施例の書類収納用ファイルに含まれる。また、かかる書類収納用ファイルであって、前記和紙は抗菌性を有する繊維を含む和紙であるものも本実施例の書類収納用ファイルに含まれる。
【００１５】
＜構成＞
【００１６】
（書類収納用ファイルの形状）
【００１７】
図１は、本実施例の書類収納用ファイルの形状の一例を示す図である。本例の書類収納用ファイル０１００は、形状自体は従来の書類収納用ファイルと同様であって、二枚の表紙０１１０、０１２０からなる。これら二枚の表紙は、ファイルの一辺が一枚のシートを折り返した辺であり、隣接する２辺の二枚の表紙の端部どうしを糊などで接着させて形成され、それ以外の辺から書類を出し入れすることが可能なようになっている。２枚の表紙の接着は、糊を使わないプレスロック方式を用いてもよい。本図のファイルの例では、本図で見て左辺０１０１が一枚のシートを折り返すことで形成される辺であり、下辺０１０２が二枚の表紙どうしを糊などで接着させることにより形成される辺である。右辺０１０３（下に述べるように上側の表紙０１１０がやや小さく形成されているため、上側の表紙の右辺０１０３ａの位置と下側の表紙の右辺０１０３ｂの位置がややずれている）及び上辺０１０４は開放され、書類の出し入れが可能となっている（図２参照）。
【００１８】
図１の例では、表紙をめくりやすくするために上側の表紙０１１０がやや小さく形成されているが、二枚の表紙のサイズは、全く同一であってもよいし、本図の例のようにほぼ同一であってもよいし、あるいは書類の保持に差支えない程度であれば大きく異なっていてもよい。
【００１９】
また、図１の例では、上側の表紙の右辺の上端付近に表紙をめくりやすくするための切欠部０１１１が備えられているが、これは必須ではない。なお、本図には示されていないが、同様の目的で右辺の下端付近にも略三角形状などの切欠部が備えられていてもよい。
【００２０】
また、図１の例では、上辺０１０４と左辺０１０１との間の角、左辺０１０１と下辺０１０２の間の角、下辺０１０２と右辺０１０３ａ、０１０３ｂの間の角、上辺０１０４と右辺０１０３ａ、０１０３ｂの間の角を略円弧状としている。また切欠部０１１１と右辺０１０３ａと交差する角部も略円弧状としている。略円弧状とすることで、取扱時に角部で皮膚を擦った場合でも擦過傷になりにくい表紙（上側）の右辺０１０３ａと下辺０１０２の間の角を略円弧状とすることにより、書棚などに密集してファイルが並べられている場合に、切り欠きが設けられている側に隣接してファイルを差し込もうとした場合に下方でのファイルどうしの摩擦を抑えることができる。また下辺の接着用の糊しろ部（図２参照）の奥行方向の幅を、左辺０１０１と下辺０１０２の間の角の略円弧状の大きさよりも大きくするように構成した場合には、内部に収納した書類の角が、書類収納ファイルの該当角部から飛び出し、取扱時の擦過傷の原因となることを防止できる。
【００２１】
（書類収納用ファイルの構造）
【００２２】
書類収納用ファイルの製造方法は一般的には次のように行われる。素材となるシートから１個の書類収納用ファイルを構成するに足る所定の形状に型を用いて打ち抜く。この時、図１で右辺０１０３ａの切欠部０１１１や、各辺の角部の略円弧状形状も形成される。次に打ち抜きされたシートを表紙として、中央の折り返し線で折り、所定の辺（折り返し辺に隣接する辺のうちの１辺）を接着して完成となる。折り返して接着後に折り返し辺０１０１の両側に隣接する２つの角部を略円弧状に形成するよりも工程は簡略となる。
図２は、上述の構造を説明するための本実施例の書類収納用ファイルの一例の展開図である。本図に示す書類収納用ファイル０２００は、一枚のシートからなり、これを中央の折り返し線で谷折りすることで二枚の表紙０２１０、０２２０が形成される。また、二枚の表紙の下端部０２１０ａ、０２２０ａ（概ね斜線で示す範囲）どうしを糊などで接着させることで、二辺が閉ざされ、二辺が開放されたファイルが形成される。
【００２３】
なお、上辺側も接着し、開放される辺は一辺（例えば右辺）のみとしてもよい。この場合にはファイルが袋状のものとなる。この場合も上辺側接着用の糊しろ幅を、上辺と折り返し辺との間の角部の略円弧状よりも大きくするように構成することにより、内部に収納した書類の角の飛び出しによる、取扱時の擦過傷を防止できる。
【００２４】
以上の構成により、本実施例の書類収納用ファイルは、収納書類の少なくとも隣接二辺を突き当て保持可能なように二枚の表紙によって構成されることとなる。ここで、「収納書類の少なくとも隣接二辺を突き当て保持可能」とは、書類を書類収納用ファイルに挿入したときに、収納書類のうちの少なくとも隣接する二辺がファイルの閉じた辺に突き当たることで行き止まり、書類収納用ファイルの外に飛び出すことはないということであり、「収納書類の少なくとも隣接二辺を突き当て保持可能なように二枚の表紙によって構成される」とは、このような状態で書類を保持できるように二枚の表紙によって構成されているということである。また、「二枚の表紙によって構成される」とは、書類収納用ファイルとして形成された状態において二枚の表紙を有しているということであって、必ずしも二枚のシートから形成されることを意味せず、図２の例で示したような一枚のシートからなるものであってもよい。
【００２５】
あるいは、本実施例とは異なるが、解放される辺は三辺（例えば上辺、右辺及び下辺）であってもよい。この場合は、書類収納用ファイルは、収納書類の一辺を突き当て保持可能なように二枚の表紙によって構成されることとなる。このような構成であっても、例えば後述するように両表紙の内側をざらざらにして書類が滑り落ちにくくすれば、書類を適切に保持するというファイル本来の効果を十分に発揮することが可能である。
【００２６】
図３、図４に図１とは別形状の例を示す。図３aにおいて３００ａは貼り合わせ前の展開した状態、図３ｂにおいて３００ｂは貼り合わせ後の表紙（上側）から見た状態、３００ｃは表紙（下側）から見た状態を示す。図３aでは下辺を糊で貼り合わせるのではなく、表紙（上側）０３１０の下辺側に設けた糊しろ部０３３０を折り返して表紙（下側）０３２０と貼り合わせる。内部に入れた書類の重量を糊付け部自体で受けず、和紙からなる糊しろ部０３３０で受けるため剥がれにくくなり耐久性が増す。図３ｂでは表紙（下側）糊しろ部０３３０を表紙（下側）０３２０の外側と糊付けしている。表紙（下側）０３２０の内側（書類収納部側）に貼った場合には、糊しろ部が外から見えず外観上優れているが書類収納する際に、段差部に書類が引っ掛かり収納しづらくなる懸念がある。
【００２７】
図４においても図３と同様に、図４aにおいて４００ａは貼り合わせ前の展開した状態、図４ｂにおいて４００ｂは貼り合わせ後の表紙（上側）から見た状態、４００ｃは表紙（下側）から見た状態を示す。図４は、収納書類を確認しやすくするために、表紙（上側）０４１０に窓部０４３０を設けたものである。和紙で構成した書類収納ファイルは和紙自体が不透明なために内部に収納した書類が外からわからない問題があった。窓０４３０を設けることにより、少なくとも書類の内部が見え、判別しやすくなる。窓部０４３０は表紙（上側）０４１０に１か所も受けているが、表紙（下側）０４２０に設けてもよいし、同時に両方に設けてもよいし、それぞれに複数個設けてもよい。図３の糊しろ部０３３０、および図４の窓部０４３０は、素材となるシートから、型を用いて打ち抜く際に、対応する形状を設けた型を用いれば、工程を増やさずに形成可能である。
【００２８】
なお、書類収納用ファイルの厚みに特に限定はないが、例えば、和紙だけで構成されている場合の紙厚が１０５ｇ／ｍ２程度のものが考えられる。
【００２９】
（和紙の素材）
【００３０】
本考案における和紙は比較的長い繊維が相当程度含まれる紙であれば足り、特に素材について限定はない。例えば、日本古来の和紙の代表的な素材であるコウゾ、ミツマタ、ガンピなどを用いたものが考えられる。伊予和紙、土佐和紙、越前和紙、美濃和紙等の名称で呼ばれる和紙は一般にかかる条件を満たすものであり、本考案における和紙に該当する。
【００３１】
また、素材として木材パルプや非木材パルプを用いたものであっても、比較的長い繊維を用いたものが相当程度含まれていれば本考案における和紙に該当する。一般に針葉樹の繊維長は広葉樹の繊維長よりも長い（針葉樹は２．７〜４．０ｍｍ程度、広葉樹は１．５ｍｍ程度）ところ、本考案における和紙は針葉樹（Ｎ材ともいう）を原料とする木材パルプであるＮＢＫＰ（長繊維）を相当程度含み、これと他の素材、例えば広葉樹（Ｌ材ともいう）を原料とする木材パルプであるＬＢＫＰ（短繊維）や、ケナフ、バガス、竹などの非木材パルプを混合したパルプを素材とするものであってもよい。ここで「相当程度」とは、例えば重量比で３０％以上を言う。ＮＢＫＰ（長繊維）を相当程度混合する理由は、これにより本考案における和紙である比較的長い繊維が相当程度含まれる紙を実現でき、もって独特の風合いや調湿性を備えることが可能となるためである。また、ＬＢＫＰ（短繊維）を混合する理由は、主に価格が安いためである。
【００３２】
また、非木材パルプを混合する理由は、主に森林保護の観点から木材パルプの使用比率を抑えるためである。例えば、竹パルプを用いる場合には、竹の間伐材を利用することが可能であり、資源の再利用という観点からも環境保護に資するものである。竹は、繊維長が１．５〜２．５ｍｍ程度であり、吸湿性、吸油性に優れ、また印刷にも適しているという特徴を有するものであり、これを混合しても本考案の課題解決を阻害することはないし、地球環境保護の観点からはむしろ本考案の課題解決をより積極的に実現するものと言える。
【００３３】
以上のような諸要素に加え後述する製造方法にかかわる諸要素を勘案した本実施例の和紙の好適な一例は、ＮＢＫＰ（長繊維）４５％（重量％をいう。以下同じ）を含むものである。さらに、和紙材料に抗菌性を持たせるために、パルプに抗菌性を有する繊維を３％程度添加する。和紙に抗菌性を持たせることで、細菌の繁殖を抑え、衛生的な書類収納ファイルを得ることができる。
【実施例２】
【００３４】
（和紙の製造方法）
実施例２として和紙の製造方法について説明する。
【００３５】
本実施例の和紙の製造方法についても特に限定はない。一般に和紙の製造工程は、（１）原料を加工する（皮作り、チップ加工など）、（２）煮る、（３）叩く、（４）抄（す）く、（５）乾かすという工程からなる。本実施例の和紙の製造方法として、例えば、日本古来の和紙の伝統的な抄きの方法である手抄きを用いたものが考えられるが、現在一般に和紙と呼ばれている紙の多くで行われているベルトコンベアを用いた機械抄きを用いたものであってもよい。なお（４）抄く工程の前までに、抗菌性をもった繊維を混入させておく。
【００３６】
また、乾かす工程においては、機械抄きの場合、一般にドライヤーを用いて乾かすという方法が用いられている。
【００３７】
図４は、ドライヤーを用いた紙の乾燥工程の一例について説明するための概念図である。本図は、和紙の製造に用いる設備の一部であり、フェルト部０５３０、プレス部０５４０、ドライヤー０５５０及び巻取り機０５６０からなる。
【００３８】
フェルト部は、フェルト地のベルトからなるウェットフェルト０５３１と複数の回転軸０５３２（一部は回転しない固定軸であってもよい）とからなり、図示を省略した固定部に固定された回転軸に誘導されてウェットフェルトが矢印方向に回転する構造になっている。フェルト部は、未だ湿っていて破れやすい状態のパルプ０５００をウェットフェルトの上に載せてプレス部まで安全に移送するための手段である。なお、本図においては、図の理解の容易のため、パルプの厚みは実際よりも誇張して描かれている。
【００３９】
プレス部は、二個のロール０５４１、０５４２からなり、移送されてきたパルプをロールの矢印方向への回転（この回転は上記ウェットフェルトの回転により与えられる）によりロールの間を通過させ、その際のロール圧によってパルプの水分を一気に絞り出すための手段である。従って、図には現れていないが、実際にはパルプの厚みはこの段階で相当程度圧縮される（薄くなる）ことになる。
【００４０】
そして、プレス部により圧縮されたパルプは、ドライヤーに移送されて乾かされる。ドライヤーは、回転自在に保持されるシリンダー０５５１と、ロール０５５２と、複数の回転軸０５５３（一部は回転しない固定軸であってもよい）と、ロールを回転させるためのベルト０５５４とからなる。乾燥工程においては、パルプがドライヤーのシリンダーに巻きつけられ、シリンダーの矢印方向への回転に伴い、パルプがシリンダーに巻きつけられた状態で矢印方向に移動していく。シリンダーは通例１１０℃〜１５０℃程度に熱せられており、パルプがシリンダーとの接触を保っている間に乾かされることになる。なお、乾かされたパルプは、巻取り機によって巻き取られる。
【００４１】
ドライヤーのシリンダーは表面が平滑に仕上げられており、パルプをシリンダーに巻きつける際には湿ったパルプがロールによってシリンダーに押し付けられた状態となり、この状態を保ったままパルプが乾燥する。このため、出来上がった和紙の両面のうち、シリンダーに接触していた側の面は、平滑な面（すべすべした感触の面）となる。これに対して、シリンダーに接触していなかった側の面は、乾燥時の熱によって不規則に膨張するなどして、平滑でない面（ざらざらした感触の面）となる。そこで、例えば、ざらざらした面を書類収納用ファイルの外側面に用いれば、和紙独特のざらざらした質感豊かな風合いを出すことができる。特に、費用面などの理由により長繊維の素材の混合割合を最小限に抑えた場合には繊維模様が現れにくいことから、和紙独特の風合いを保つためにこのような用い方が考えられる。
【００４２】
一方、上とは逆にすべすべした面を書類収納用ファイルの外側面に用いてもよい。例えば繊維模様が現われる場合には、ざらざらした質感を持たせなくても和紙の風合いを出すことができるので、むしろすべすべした面を書類収納用ファイルの外側面に用いることで書類収納用ファイル表面に光沢を持たせることができ、和紙独特の風合いに加え高級感を出すことが可能となる。ざらざらした感触の面を内側とすることで、収納した書類との摩擦が増し、書類収納ファイルから書類が脱落しにくくなる効果がある。また、外側面に書き込みや印刷をするのにより適した面を提供することが可能となる。収納した書類が一見してわからないという問題が生じるが、和紙からなる表紙に書類名を書き込んだり、印刷したりすることが可能であるためにそれほど問題がないといえる。なお、書類を保持した書類収納用ファイルを本棚に保管する場合のように、多くの書類収納用ファイルを重ねて保管する場合には、従来のＰＰ製書類収納ファイルのように表紙が透明の書類収納用ファイルを用いても内部の書類を一見して確認することは困難であるが、和紙だけを用いた書類収納用ファイルなどであれば、背表紙の部分などに書き込みをすることなども可能であるので（このため、書類収納用ファイルに若干の厚みを持たせてもよい）、むしろ従来の書類収納用ファイルよりも容易に書類名などを確認することができる。
【００４３】
なお、以上の説明において「平滑な面（すべすべした感触の面）」、「平滑でない面（ざらざらした感触の面）」といった表現を用いているが、いずれも厳密な定義はなく、人が目で見、あるいは手で触った時にすべすべした、あるいはざらざらした印象を受けるといった程の意味である。通例、人は洋紙における上質紙の表面をすべすべ、更紙の表面をざらざらと感じると考えられるので、本実施例における「平滑な面」とは上質紙の表面と同程度以上の平滑性を有する面、「平滑でない面」とは更紙の表面と同程度以下の平滑性を有する面と同義といってもよい。
【００４４】
（その他）
【００４５】
既述のように、本実施例の書類収納用ファイルは、書類収納用ファイルが和紙だけで構成されている。従って、上で説明したパルプの乾燥工程を経て巻取り機で巻き取った和紙をそのまま書類収納用ファイルの素材として用いることが可能となり、従来のポリプロピレン等の膜を貼り合わせたものなどに比べ、簡単に製造することができる。
【００４６】
また、和紙だけを用いることで、従来のポリプロピレン等の膜を貼り合わせたものなどと異なり、和紙の持つ優れた調湿性を十分に発揮することが可能となる。抗菌性を有した繊維を混入して抄紙し和紙を形成することにより抗菌性を有した和紙を使って書類収納用ファイルを製造することができる。
【００４７】
また、和紙だけを用いることで、書類に直接接する書類収納用ファイルの内側面を和紙としつつ、外側面も和紙とすることができるので、書類収納用ファイルの外側に書類名その他の書き込みや印刷を行うことも容易となる。
【００４８】
さらに、和紙だけを用いた場合には、他の素材にどのようなものが用いられているかを気にする必要がないため、廃棄に伴う環境汚染のおそれがなく、地球環境保護への配慮も追求できる。
【００４９】
＜効果＞
【００５０】
本実施例の考案により、書類を適切に保存することができるという本来の機能とともに、見た目の美しさや地球環境保護への配慮も追求しつつ、抗菌性を有した和紙を使うことにより衛生面に配慮し、取扱において角部での擦過傷など防止出来る安全面の効果もあり、調湿効果にも優れ、書き込みや印刷をすることもできる書類収納用ファイルを提供することが可能となる。
【図１】
0003228213.tif 000003
【図２】
0003228213.tif 000004
【図３ａ】
0003228213.tif 000005
【図３ｂ】
0003228213.tif 000006
【図４ａ】
0003228213.tif 000007
【図４ｂ】
0003228213.tif 000008
【図５】
0003228213.tif 000009
【手続補正書】
【提出日】令和2年7月15日(2020.7.15)
【手続補正１】
【補正対象書類名】実用新案登録請求の範囲
【補正対象項目名】請求項１
【補正方法】変更
【補正の内容】
【請求項１】
収納書類の少なくとも隣接二辺を突き当て保持可能なように、抗菌性を有する１枚の和紙からなる略長方形の表紙を長辺中央付近で折り返した略長方形であり、折り返した辺に隣接する少なくとも１辺が接合されている書類収納用ファイル。